(57)【要約】【課題】第１の筐体と第２の筐体とがスライド機構を介して互いにスライド可能に連結されたスライド式携帯電話機において、外れにくく部品点数の少ないストッパクッションを設ける。【解決手段】第１の筐体３に、一対のレール部１２と、これら一対のレール部１２を連結する連結部１３を有する板状のベース部１１を取り付ける。第２の筐体に一対のレール部１２に係合する係合部を有し、これら一対のレール部１２に沿ってスライド移動するスライダを取り付ける。レール部１２の少なくとも一端側における連結部１３との折れ曲がり部１２ａにレール部１２と連結部１３との間に跨る切欠部１５を形成し、この切欠部１５にスライダの動きを規制する弾性部材よりなるストッパクッション１６を嵌め込みによって固定する。【選択図】図１
2013106143.tif 000002
【特許請求の範囲】
【請求項１】
第１の筐体と第２の筐体とがスライド機構を介して互いにスライド可能に連結されたスライド式携帯端末において、
上記スライド機構は、
上記第１の筐体に取り付けられ、一対のレール及び該一対のレールを連結する板状の連結部を有するベース部と、
上記第２の筐体に取り付けられ、上記一対のレールに係合する係合部を有し、該一対のレールに沿ってスライド移動するスライダとを備え、
上記レール部の少なくとも一端側における上記連結部との折れ曲がり部には、該レール部及び連結部に跨る切欠部が形成され、該切欠部には、上記スライダの動きを規制する弾性部材よりなるストッパクッションが、嵌め込みによって固定されている
ことを特徴とするスライド式携帯端末。
【請求項２】
請求項１に記載のスライド式携帯端末において、
上記第１の筐体は、上記ベース部が嵌め込まれるベース部用凹部が設けられ、該ベース部用凹部の底部から膨出部が突設され、
上記ストッパクッションが嵌め込まれた上記ベース部を上記ベース部用凹部に嵌め込んだときに、上記膨出部と上記ストッパクッションとの間には、隙間が設けられ、
上記ストッパクッションに力が加わったときに、該ストッパクッションの一部が上記隙間に押し込まれることで、該ストッパクッションが抜け止めされている
ことを特徴とするスライド式携帯端末。
【請求項３】
請求項２に記載のスライド式携帯端末において、
上記ベース部用凹部は、円弧状に湾曲した壁部を有し、
上記隙間は、上記ストッパクッション外周面と上記膨出部外周面と上記壁部内面とによって囲まれ、
上記ストッパクッションに力が加わったときに、該ストッパクッションの一部が上記壁部内面に押されて上記膨出部側へ押しつけられるように構成されている
ことを特徴とするスライド式携帯端末。
【請求項４】
請求項１乃至３のいずれか１つに記載のスライド式携帯端末において、
上記連結部の上記一端側は、上記レール部の一端側よりもさらに上記スライダ進行方向に延長された延長部を有し、
上記延長部は、上記レール部の幅方向内側端部の延長線上を超えて幅方向へも延び、
上記延長部まで延びた上記切欠部のコーナー部により、上記ストッパクッションのスライダ進行方向への抜け止めが行われている
ことを特徴とするスライド式携帯端末。
【請求項５】
請求項４に記載のスライド式携帯端末において、
上記レール部の上記一端側における上記連結部と平行な水平部分と、上記折れ曲がり部との間の切り欠きにより、背面から見てＬ字状の外側当接面が形成されており、
上記外側当接面は、背面から見て上記コーナー部の対角線上に配置されている
ことを特徴とするスライド式携帯端末。
【請求項６】
請求項５に記載のスライド式携帯端末において、
上記ストッパクッションは、
上記コーナー部に対応するように、正面側に上側凹部が設けられ、
上記外側当接面に対応するように、背面側に下側凹部が設けられている
ことを特徴とするスライド式携帯端末。
【発明の詳細な説明】
【技術分野】
【０００１】
本発明は、第１の筐体と第２の筐体とがスライド機構を介して互いにスライド可能に連結されたスライド式携帯端末に関するものである。
【背景技術】
【０００２】
従来より、この種のスライド式携帯端末では、例えば、特許文献１のように、第１の筐体の開閉操作を補助するためのばね部が設けられているので、レール部の終端に何らかの衝突の振動を和らげる部材を設けなければならない。
【先行技術文献】
【特許文献】
【０００３】
【特許文献１】特開２００９−３２０９８号公報
【発明の概要】
【発明が解決しようとする課題】
【０００４】
しかしながら、通常、第１の筐体は、液晶ディスプレイなど表示部を有するので、その質量もある程度大きく、スライド操作を補助するためには、ばね部の付勢力を大きくする必要がある。
【０００５】
すると、ストッパには、スライド操作の終了時にそれなりの大きな衝撃が加わるため、振動や音が発生しやすいという問題がある。
【０００６】
従来のスライド式携帯端末では、ストッパをレール部の終端に設ける場合、樹脂などの比較的固い部材で構成した上で、このストッパをレール部等にかしめピンを通し、その先端をかしめるなどにより堅固に止めることで、落下時の衝撃にも耐えることができるようにしている。
【０００７】
しかし、ストッパを固くすることにより、逆にスライド操作終了時において音を発生しやすくすると共に、衝撃緩和を十分に発揮できないという欠点を生じる。また、かしめ作業は、ストッパの大きさが小さいため、手間のかかる作業となっていた。しかも、ストッパがかしめにより固定されているので、ストッパのみを容易に交換することができず、ストッパに不具合があるときには、スライド機構全体を交換しなければならないという問題があった。
【０００８】
本発明は、かかる点に鑑みてなされたものであり、その目的とするところは、外れにくく部品点数の少ないストッパクッションを設けることにある。
【課題を解決するための手段】
【０００９】
上記の目的を達成するために、この発明では、ストッパクッションをベース部の切り欠きに嵌め込むようにした。
【００１０】
具体的には、第１の発明では、第１の筐体と第２の筐体とがスライド機構を介して互いにスライド可能に連結されたスライド式携帯端末を前提とする。
【００１１】
そして、上記スライド機構は、
上記第１の筐体に取り付けられ、一対のレール部及び該一対のレール部を連結する板状の連結部を有するベース部と、
上記第２の筐体に取り付けられ、上記一対のレール部に係合する係合部を有し、該一対のレール部に沿ってスライド移動するスライダとを備え、
上記レール部の少なくとも一端側における上記連結部との折れ曲がり部には、該レール部及び連結部に跨る切欠部が形成され、該切欠部には、上記スライダの動きを規制する弾性部材よりなるストッパクッションが、嵌め込みによって固定されている。
【００１２】
上記の構成によると、ストッパクッションは、ベース部の切り欠きに嵌め込むだけで取り付けられるので、かしめや締結が不要となり、そのための部品点数が減ると共に、組立工数が減って組付作業が容易である。
【００１３】
第２の発明では、第１の発明において、
上記第１の筐体は、上記ベース部が嵌め込まれるベース部用凹部が設けられ、該ベース部用凹部の底部から膨出部が突設され、
上記ストッパクッションが嵌め込まれた上記ベース部を上記ベース部用凹部に嵌め込んだときに、上記膨出部と上記ストッパクッションとの間には、隙間が設けられ、
上記ストッパクッションに力が加わったときに、該ストッパクッションの一部が上記隙間に押し込まれることで、該ストッパクッションが抜け止めされている。
【００１４】
上記の構成によると、スライド操作のときや落下時にストッパクッションに力が加わると、変形したストッパクッションの一部が隙間に流れ込むので、衝撃吸収の効果が高まると共に、ストッパクッションが切欠部から抜け出すことが確実に防止される。
【００１５】
第３の発明では、第２の発明において、
上記ベース部用凹部は、円弧状に湾曲した壁部を有し、
上記隙間は、上記ストッパクッション外周面と上記膨出部外周面と上記壁部内面とによって囲まれ、
上記ストッパクッションに力が加わったときに、該ストッパクッションの一部が上記壁部内面に押されて上記膨出部側へ押しつけられるように構成されている。
【００１６】
上記の構成によると、壁部内面によって変形したストッパクッションが膨出部側へ押しつけられるので、ストッパクッションが切欠部から抜け出すのが効果的に防止される。
【００１７】
第４の発明では、第１乃至第３のいずれか１つの発明において、
上記連結部の上記一端側は、上記レール部の一端側よりもさらに上記スライダ進行方向に延長された延長部を有し、
上記延長部は、上記レール部の幅方向内側端部の延長線上を超えて幅方向へも延び、
上記延長部まで延びた上記切欠部のコーナー部により、上記ストッパクッションのスライダ進行方向への抜け止めが行われている。
【００１８】
上記の構成によると、スライダによって押圧されたときに切欠部のコーナー部によってストッパクッションが抜け出すのを効果的に防止するので、かしめ、ビスなどでストッパクッションを固定する必要がない。
【００１９】
第５の発明では、第４の発明において、
上記レール部の上記一端側における上記連結部と平行な水平部分と、上記折れ曲がり部との間の切り欠きにより、背面から見てＬ字状の外側当接面が形成されており、
上記外側当接面は、背面から見て上記コーナー部の対角線上に配置されている。
【００２０】
上記の構成によると、切欠部のコーナー部と外側当接面とでストッパクッションを挟み込んで、ストッパクッションをレール部にしっかりと嵌合させることができる。
【００２１】
第６の発明では、第５の発明において、
上記ストッパクッションは、
上記コーナー部に対応するように、正面側に上側凹部が設けられ、
上記外側当接面に対応するように、背面側に下側凹部が設けられている。
【００２２】
上記の構成によると、切欠部のコーナー部と外側当接面とでストッパクッションを挟み込んで、ストッパクッションが上下方向及び背面側へ抜け出すのを効果的に防止するので、かしめピンを挿通してその先端をかしめたり、ビスを挿通して締結したりしてストッパクッションをレール部に固定する必要がない。
【発明の効果】
【００２３】
以上説明したように、本発明によれば、レール部の連結部との折れ曲がり部に両者に跨る切欠部を形成し、この切欠部に弾性部材よりなるストッパクッションを嵌め込みによって固定したことにより、かしめ、締結などを行わなくても、ストッパクッションを外れにくくすることができると共に、部品点数を少なくして組付工数を減らすことができる。
【図面の簡単な説明】
【００２４】
【図１】本実施形態のスライド式携帯電話機における、ストッパクッション及びその周辺を拡大して示す背面図である。
【図２】閉じ状態のスライド式携帯電話機を正面側から見た斜視図である。
【図３】開き状態のスライド式携帯電話機を背面側から見た斜視図である。
【図４】閉じ状態のスライド式携帯電話機における、第２の筐体を外した状態の背面図である。
【図５】ストッパクッションを嵌める前の開き状態のスライド機構を背面側から見た斜視図である。
【図６】図５の切欠部及びその周辺を拡大した斜視図である。
【図７】ストッパクッションを嵌めた状態の図６相当図である。
【図８】ストッパクッションを嵌める前の開き状態のスライド機構を正面側から見た斜視図である。
【図９】図８の切欠部及びその周辺を拡大した斜視図である。
【図１０】ストッパクッションを嵌めた状態の図９相当図である。
【図１１】ストッパクッションを拡大して示し、（ａ）は、背面側から見た斜視図であり、（ｂ）は、正面側から見た斜視図である。
【発明を実施するための形態】
【００２５】
以下、本発明の実施形態を図面に基づいて説明する。
【００２６】
図２及び図３は、本発明の実施形態のスライド式携帯端末としてのスライド式携帯電話機１を示し、このスライド式携帯電話機１は、正面側に液晶ディスプレイなどの表示部２を備えた第１の筐体３と、正面側にナンバーボタンなどの操作部（図示せず）を備えた第２の筐体５とがスライド機構１０を介して互いにスライド可能に連結されている。このスライド機構１０の作用により、スライド式携帯電話機１は、第１の筐体３と第２の筐体５とが重なり合う閉じ状態（図２に示す）と、第１の筐体３が第２の筐体５に対して上方へスライド移動して第２の筐体５の正面側に操作部が現れる開状態（図３では、操作部は裏面側にある）とに切り換え可能となっている。なお、説明の都合上、携帯電話機１を手に持ったときに正面側に現れる表示部２の長手方向を上下方向とし、第１の筐体３が第２の筐体５に対して上方へ移動した状態を開状態としているが、表示部２の長手方向が左右方向となる使用姿勢であってもよい。
【００２７】
図４に第２の筐体５を外して示すように、スライド機構１０は、第１の筐体３に取り付けられる板状のベース部１１を備えている。図５及び図８にも示すように、ベース部１１は、左右に間隔をあけて平行に並んだ一対の直線状のレール部１２と、これら一対のレール部１２を連結する平坦な板状の連結部１３と有する。レール部１２と連結部１３とは、ステンレス鋼板などの１枚の薄板をプレス成形して構成される。連結部１３には、質量軽減などのために複数の貫通孔１３ａが設けられている。なお、ベース部１１をマグネシウム合金などの成型品で構成してもよい。
【００２８】
スライド機構１０は、また第２の筐体５に取り付けられるスライダ２０を備えている。スライダ２０の左右端部には、一対のレール部１２に左右外側から係合するように断面コ字状に折り曲げられた係合部２１が一体形成されている。この係合部２１内には、一対のレール部１２に沿ってスライド移動しやすいように、レール部１２に摺接する、樹脂製の摺動部材２２が内蔵されている。
【００２９】
図４に示すように、スライド機構１０には、一端がベース部１１（第１の筐体３）に回転可能に連結され、他端がスライダ２０（第２の筐体５）に回転可能に連結された、４本のＬ字状板ばねよりなる付勢ばね２３が設けられている。この付勢ばね２３の形状は、特に限定されず、捩りコイルばねや圧縮ばねでもよい。この付勢ばね２３の付勢力により、第１の筐体３のスライド移動が補助されている。
【００３０】
そして、ベース部１１の連結部１３の上端部及び下端部には、それぞれレール部１２の上下端部よりもさらに上方向又は下方向に延長された延長部１４が設けられている。図６及び図９にも拡大して示すように、延長部１４は、背面側に若干折り曲げられて連結部１３と平行に構成されている。この延長部１４には、ボルト挿通孔１４ａが貫通形成され、このボルト挿通孔１４ａに図示しないビスを通して第１の筐体３に締結することにより、ベース部１１が第１の筐体３の背面に固定されるようになっている。
【００３１】
そして、上側の延長部１４は、レール部１２の左右内側端部（折れ曲がり部１２ａの隅角部）の延長線上を超えて左右外側へ延びている。このレール部１２の上端側における連結部１３との折れ曲がり部１２ａには、これらレール部１２と連結部１３とに跨る切欠部１５が形成されている。切欠部１５の上側には、延長部１４まで延び、背面から見て上下逆のＬ字状に切り欠かれたコーナー部１５ａが形成されている。また、レール部１２の上端の連結部１３と平行な水平部分と折れ曲がり部１２ａとの間の切り欠きにより、背面から見てＬ字状の外側当接面１５ｂが形成されている。この外側当接面１５ｂは、背面から見て上記コーナー部１５ａの対角線上に配置されている。そして、この切欠部１５には、スライダ２０の動きを規制する弾性部材よりなるストッパクッション１６が嵌め込みによってのみ固定されている。つまり、このストッパクッション１６は、従来のようにかしめピンによるかしめやビス止めが行われていない。一方、ストッパクッション１６は、図１１（ｂ）に拡大して示すように、切欠部１５のコーナー部１５ａに対応するように、ストッパクッション１６の正面側に上下逆のＬ字状に上側凹部１６ａが設けられている。また、図１１（ａ）に拡大して示すように、切欠部１５の外側当接面１５ｂに対応するように、ストッパクッション１６の背面側にＬ字状に下側凹部１６ｂが設けられている。ストッパクッション１６は、従来に比べて柔らかい、エラストマーの成形品よりなるので、衝撃吸収性が向上している。ストッパクッション１６は、切欠部１５に対応した複雑な形状をしているが、エラストマーの成形品よりなるので、複雑な形状でも成形は容易である。
【００３２】
そして、コーナー部１５ａが上側凹部１６ａに嵌め込まれてストッパクッション１６のスライダ２０の進行方向への抜け止めが行われると共に、外側当接面１５ｂに下側凹部１６ｂが嵌め込まれることにより、ストッパクッション１６がさらに抜けにくくなっている。
【００３３】
そして、第１の筐体３には、ベース部１１が嵌め込まれるベース部用凹部１７が設けられている。図１に示すように、ベース部用凹部１７の上側左右角部には、背面から見て円弧状に湾曲した壁部１７ａが形成され、この壁部１７ａの内側にベース部用凹部１７の底部から膨出部１８が突設されている。第１の筐体３は、通常、剛性の高い繊維強化樹脂成形品などで構成され、この膨出部１８は、この第１の筐体３に一体に形成されている。例えば、膨出部１８は、背面から見て角部が丸まった三角形状をしている。ストッパクッション１６が嵌め込まれた上記ベース部１１をベース部用凹部１７に嵌め込んだときに、ストッパクッション１６の外周面と膨出部１８の角部が丸まった外周面と壁部１７ａの内面とによって囲まれた領域には、隙間１９が確保されている。そして、ストッパクッション１６に上方へ力が加わったときに、このストッパクッション１６の一部が壁部１７ａ内面から反力を受け、図１に矢印で示すように膨出部１８側へ押しつけられるように構成されている。
【００３４】
次に、本実施形態にかかるスライド式携帯電話機１のストッパクッション１６の抜け止め効果について説明する。
【００３５】
まず、ストッパクッション１６の取付手順について説明する。最初に図５及び図８に示すように、スライダ２０が取り付けられたスライド機構１０を用意する。そして、左右のストッパクッション１６の下側凹部１６ｂを外側当接面１５ｂに当てながらスライドさせてそれぞれ嵌め込む。すると、図７及び図１０に示すように、上側凹部１６ａがコーナー部１５ａにぴったりと嵌り込む。このように、切欠部１５のコーナー部１５ａと外側当接面１５ｂとでストッパクッション１６を挟み込んでストッパクッション１６が上下方向及び背面側へ抜け出すのを効果的に防止するので、かしめピンを挿通してその先端をかしめたり、ビスを挿通して締結したりしてストッパクッション１６をレール部１２に固定する必要がない。このとき、スライド機構１０単体でも、ストッパクッション１６は、上下方向及び背面側への十分な抜け止め性を有している。
【００３６】
そして、このストッパクッション１６が取り付けられたスライド機構１０をベース部用凹部１７に嵌め込み、ボルト挿通孔１４ａに図示しないビスを嵌め込んで図４のようにスライド機構１０を第１の筐体３に固定する。この状態でストッパクッション１６の正面側がベース部用凹部１７の底面に当接するので、正面側への抜け止めも行われる。
【００３７】
このように、ストッパクッション１６は、ベース部１１の切欠部１５に嵌め込むだけで取り付けられるので、かしめ、締結等が不要となって部品点数が減ると共に、嵌め込み作業だけであるので、組付作業が極めて容易となっている。
【００３８】
そして、スライド式携帯電話機１の使用時には、開いた状態の第１の筐体３を第２の筐体５に対して下方へスライド移動させると、付勢ばね２３の下向きの付勢力により、スライダ２０がストッパクッション１６に勢いよく衝突する。また、スライド式携帯電話機１を落下させた場合にもストッパクッション１６に大きな力が加わることがある。
【００３９】
ストッパクッション１６に上向きに力が加わると、図１に矢印で示すように、壁部１７ａ内面によって変形したストッパクッション１６が膨出部１８側へ押しつけられ、隙間１９に流れ込む。このため、衝撃吸収の効果が高まると共に、ストッパクッション１６がスライダ２０に押されても切欠部１５から上方へ抜け出すことはない。
【００４０】
したがって、本実施形態にかかるスライド式携帯電話機１によると、レール部１２の連結部１３との折れ曲がり部１２ａに両者に跨る切欠部１５を形成し、この切欠部１５に弾性部材よりなるストッパクッション１６を嵌め込みによって固定したことにより、ストッパクッション１６を外れにくくすることができると共に、部品点数を少なくして組付工数を減らすことができる。
【００４１】
（その他の実施形態）
本発明は、上記実施形態について、以下のような構成としてもよい。
【００４２】
すなわち、上記実施形態では、ストッパクッション１６は、レール部１２の上側にのみ設けたが、下側に設けてもよく、さらに上下両方に設けてもよい。
【００４３】
上記実施形態では、携帯端末は、携帯電話機としたが、ＰＨＳ（Personal Handy-phone System ）、ＰＤＡ(Personal Digital Assistant)、スマートフォン、パソコン、モバイルツール、電子辞書、電卓、ゲーム機等であってもよい。
【００４４】
なお、以上の実施形態は、本質的に好ましい例示であって、本発明、その適用物や用途の範囲を制限することを意図するものではない。
【産業上の利用可能性】
【００４５】
以上説明したように、本発明は、第１の筐体と第２の筐体とがスライド機構を介して互いにスライド可能に連結されたスライド式携帯電話機のストッパクッションについて有用である。
【符号の説明】
【００４６】
１      スライド式携帯電話機（スライド式携帯端末）
３      第１の筐体
５      第２の筐体
１０      スライド機構
１１      ベース部
１２      レール部
１２ａ    折れ曲がり部
１３      連結部
１４      延長部
１５      切欠部
１５ａ    コーナー部
１５ｂ    外側当接面
１６      ストッパクッション
１６ａ    上側凹部
１６ｂ    下側凹部
１７      ベース部用凹部
１７ａ    壁部
１８      膨出部
１９      隙間
２０      スライダ
２１      係合部
【図１】
2013106143.tif 000003
【図２】
2013106143.tif 000004
【図３】
2013106143.tif 000005
【図４】
2013106143.tif 000006
【図５】
2013106143.tif 000007
【図６】
2013106143.tif 000008
【図７】
2013106143.tif 000009
【図８】
2013106143.tif 000010
【図９】
2013106143.tif 000011
【図１０】
2013106143.tif 000012
【図１１】
2013106143.tif 000013